(57)【特許請求の範囲】
【請求項１】
感知器回線に接続された複数の火災感知器を、試験端子付中継器を介して、火災受信機と、遠隔試験器とに切換接続可能にした火災報知システムにおいて、
上記複数の火災感知器のそれぞれは、各々の発報、復旧の状態を順次、時間等とともに蓄積記憶する発報データの記憶手段を備え、
上記遠隔試験器は、上記試験端子付中継器に接続し、任意の火災感知器に問い合わせを行って、その火災感知器の記憶手段に記憶された発報データを取り込む感知器データ取込手段と、問い合わせを行った火災感知器の発報データを表示する発報データ表示手段とを備えたことを特徴とする遠隔試験機能を有した火災報知システム。
【請求項２】
請求項１において、
上記火災感知器の記憶手段は、不揮発性メモリで構成されていることを特徴とする遠隔試験機能を有した火災報知システム。
【請求項３】
請求項１あるいは２において、
上記火災感知器のそれぞれは、発報の有無を判別表示する発報表示手段を更に備えたことを特徴とする遠隔試験機能を有した火災報知システム。
【請求項４】
請求項３において、
上記火災感知器の発報表示手段は、点灯、点滅、消灯により発報の有無を識別する構成としていることを特徴とする遠隔試験機能を有した火災報知システム。
【請求項５】
遠隔試験器は、上記遠隔試験器が試験端子付中継器に接続され、任意の火災感知器に、アドレスを指定して発報指令信号、表示指令信号を出力する感知器点検回路と、発報指令信号を送出した火災感知器から返信されて来た試験結果を表示する試験結果表示手段とを備えており、
上記複数の火災感知器のそれぞれは、上記遠隔試験器から発報指令信号を受けたときには、火災検知回路を強制的に作動して発報させる機能を備えるとともに、
上記遠隔試験器より発報指令信号を受けて発報しなかった場合に、上記遠隔試験器より上記表示指令信号を受けると、所定時間だけ異常表示灯を点灯あるいは点滅保持して異常を報知する異常表示手段を備えた構成とした遠隔試験機能を有した火災報知システム。
【請求項６】
請求項５において、
上記遠隔試験器の上記感知器点検回路は、火災感知器の上記異常表示手段による異常報知を解除するための表示解除信号を更に出力する機能を備えた構成としている火災報知システム。
【請求項７】
請求項５において、
上記火災感知器は、遠隔試験器より表示指令信号を受けたときに、上記異常表示手段を所定周期で駆動するクロック手段を備えており、
これによって、システム内の複数の火災感知器が、上記遠隔試験器より表示指令信号を受けたときには、それぞれの火災感知器の異常表示手段を異なるタイミングで点滅駆動させて異常報知を行う構成としている遠隔試験機能を有した火災報知システム。
【発明の詳細な説明】
【０００１】
【発明の属する技術分野】
本発明は、遠隔試験機能を有した火災報知システムの改良に関する。
【０００２】
【従来の技術】
従来から、ビルやマンションには自動火災報知システムが導入されており、管理人室などに設置された火災受信機によって、各部屋や住戸等に設置された火災感知器を監視し、火災感知器が発報したときには、火災灯の点灯や、火災警報の出力などによって、火災の報知を行い、住戸人などに避難を促している。
【０００３】
この火災報知システムには、遠隔試験器により、火災感知器の遠隔試験ができるものが開発されており、これによって、住戸内に設置された火災感知器を、住戸人の不在時にも試験でき、また、試験者が立ち入ることができない区域の火災感知器でも、試験できるようになっている。
図７は、遠隔試験機能を有した火災報知システムを説明するための概略図である。
【０００４】
集合住宅用の火災監視システムであり、住戸内に設置された複数の火災感知器Ｓは感知器回線Ｌを介して、戸外の試験端子付中継器Ｔに接続されている。また、試験端子付中継器Ｔは、火災受信機Ｒにも接続されており、通常の火災監視時には、火災感知器Ｓの発報を火災受信機Ｒで検知し判別できるようになっている。
【０００５】
各火災感知器Ｓの試験を行う際には、遠隔試験器ＲＣを試験端子付中継器Ｔに接続する。すると、試験端子付中継器Ｔの切換接点３は、感知器回線Ｌと火災受信機Ｒとの接続を遮断し、感知器回線Ｌを遠隔試験器ＲＣに接続するので、遠隔試験器ＲＣより各火災感知器Ｓを指定して、順に発報指令信号（試験信号）を送出して、各火災感知器Ｓを強制的に発報させる。
【０００６】
遠隔試験器ＲＣでは、発報指令信号を送出した火災感知器Ｓからの返信を監視し、発報が確認されると「正常」と判断して表示ＬＥＤを点灯させる一方、発報動作がなければ「異常」と判断して表示ＬＥＤを点灯させないので、この違いを見ることによって、動作試験ができる。このようなシステムでは、従来の火災報知システムのように、火災感知器Ｓの直下で煙や熱を発生させる、いわゆる「あぶり試験」を行うことなく、火災感知器Ｓの機能試験を戸外から行うことが出来る。
【０００７】
図８は、このときに使用される遠隔試験器の外観説明図である。この遠隔試験器ＲＣは、試験端子付中継器Ｔに着脱可能に接続するためのコネクタ付ケーブルＣＮを備え、火災感知器Ｓのアドレスに対応した表示ＬＥＤを備えて構成される。遠隔試験器ＲＣは、アドレスが付加された発報信号をコネクタ付ケーブルＣＮを介して受信すると、そのアドレスに対応する表示ＬＥＤ「１」〜「１０」を点灯させて、正常な火災感知器Ｓのアドレスを表示する。従って、試験者は、遠隔試験器ＲＣを試験端子付中継器Ｔに接続すれば、表示ＬＥＤの点灯態様を見ることによって試験結果を確認できるので、住戸内の火災感知器Ｓを戸外から試験を行うことができ、この様な試験により、火災感知器Ｓの異常が発見すると、その火災感知器Ｓの点検、修理等を行っていた。
【０００８】
【発明が解決しようとする課題】
ところが、上記従来の火災報知システムでは、火災感知器が発報し、火災受信機でこれを検知したときに、この火災感知器の発報が誤報であった場合、火災感知器の復旧後に点検にきた業者には、この火災感知器が本当に発報していたのかどうかを確認することができず、また発報した証拠がないため火災感知器の交換、修理などに手間取る場合があった。
【０００９】
更に、上記従来の遠隔試験器を用いた試験では、火災感知器の正常、異常の区別が、火災感知器に割り当てられたアドレスとの関係でのみ表示されるため、試験により異常を発見しても、複数の火災感知器が設置されている場合には、システム施工時の図面等を用いて、アドレスと火災感知器の設置場所との対応関係を確認しなければ、交換や修理を行うべき火災感知器を特定することができなかった。
【００１０】
このような問題を解決するために、異常状態の火災感知器の確認灯を点灯させる方法が考えられるが、この確認灯は、発報したときに点灯し、火災受信機からの復旧操作がなければ点灯保持したままになっているので、遠隔試験器を試験端子付中継器から取り外したときに、この確認灯の点灯している火災感知器が複数あれば、このときの点灯電流によって火災受信機が発報と認識してしまう場合があった。
【００１１】
本発明は、上記の事情に鑑みてなされたものであり、遠隔試験器を接続した動作試験において、火災感知器の発報履歴が分かるようにした遠隔試験機能を有した火災報知システムを提供することを第１の目的とする。
また、第２の目的は遠隔試験を行った場合に、異常のある火災感知器を、容易に特定できる遠隔試験機能を有した火災報知システムを提供することにある。
【００１２】
【課題を解決するための手段】
上記目的を達成するために、本発明の遠隔試験機能を有した火災報知システムには、以下の手段を備える。請求項１では、複数の火災感知器のそれぞれは、各々の発報、復旧の状態を順次、時間等とともに蓄積記憶する発報データを記憶する記憶手段を備えているので、火災感知器が発報すれば、その事実を発報履歴として順次記憶手段に記憶される。
【００１３】
一方の遠隔試験器は、試験端子付中継器に接続したときに、各火災感知器に問い合わせを行い、問い合わせを行った火災感知器の記憶手段に記憶された発報データを取り込む感知器データ取込手段と、問い合わせた発報データを表示する発報データ表示手段とを備えている。
このため、本発明では、遠隔試験器から各火災感知器に問い合わせを行って取り込んだ発報データを、表示手段に表示することによって試験者は一目で発報履歴を知ることができる。
【００１４】
このような本発明は、火災感知器が室内に設置され、試験端子付中継器が戸外に設置される集合住宅用の火災監視システムに適用することができるが、この様なシステムに限定されるものではなく、戸建住宅用にも適用できる。請求項２では、火災感知器の記憶手段は、不揮発性メモリで構成されている。このメモリには、ＥＥＰＲＯＭが最適であり、これによれば、例え、電源がオフになったとしても、記憶された内容が消えることがない。
【００１５】
請求項３では、請求項１あるいは２において、火災感知器のそれぞれは、発報の有無を判別表示する表示手段を更に備えているので、火災感知器が発報したかどうかは、その表示手段を見ることによって外部から容易に判別できる。ここに、表示手段は、請求項４に記載したように、ＬＥＤなどの発光手段や発色手段を点灯、点滅させればよい。
【００１６】
なお、発報の有無を判別表示する表示手段に替えて、あるはこれに加えて、遠隔試験器から表示指令信号を受けたときには、記憶手段に記憶した内容を読み込んで表示する表示手段を設けてもよい。
請求項５〜７は、火災感知器の動作試験を行った際に、発報しない動作異常を起こした火災感知器がある場合に、容易にその火災感知器が判別できるようにしたシステムを提案している。
【００１７】
請求項５では異常表示手段は、遠隔試験器で不作動の火災感知器のアドレスを確認した後、そのアドレスの火災感知器に表示指令信号を送出することによって表示されるので、点検者はこの表示を見ることによって、動作異常の火災感知器が容易に判別できる。なお、異常表示手段としては、従来から火災感知器に備わっている確認灯を使用するようにしてもよい。
【００１８】
また、火災感知器に設けた異常表示手段は、遠隔試験器によって表示指令信号を受けたときに、所定時間だけ異常表示灯を点灯させることによって実現している。これによって、遠隔試験が終了し、遠隔試験器を試験端子付中継器から取外した後でも、視覚によって外部より容易に判別できる。
請求項６では、遠隔試験の感知器点検回路は、火災感知器の異常表示手段による異常報知が、遠隔試験器側から解除するための表示解除信号を出力できるようになっており、これによって、異常の確認された火災感知器の異常表示手段による表示を順次解除することが出来る。この場合の異常表示手段も、判別結果を表示することができる手段であれば足り、ＬＥＤ等の発光手段や発色手段等により構成される。
【００１９】
この表示手段は、異常状態の火災感知器の発光手段を点灯させ、或は、点滅させることにより、異常状態の火災感知器の発見を容易にする。また逆に、正常状態の火災感知器の発光手段を点灯させ、或は、点滅させることによっても、異常状態の火災感知器の発見を容易にすることができる。更に、正常状態を点灯、異常状態を点滅、未接続状態を消灯にそれぞれ対応させることにより、１つの表示手段で３つの判別結果を区別して表示することもできる。なお、この発光手段には、従来から備わっている火災感知器の確認灯を使用するようにしてもよい。
【００２０】
請求項７では、火災感知器は、遠隔試験器より表示指令信号を受けたときに、異常表示手段を所定の周期で駆動するためのクロック手段を更に備えており、これによって、システム内の複数の火災感知器が、上記遠隔試験器より表示指令信号を受けたときには、それぞれの火災感知器の異常表示手段を異なるタイミングで点滅駆動させて異常報知を行う構成としている。
これによれば、動作異常の火災感知器が複数あった場合でも、表示タイミングを異ならせることができるため、火災発生時に点灯される確認灯を異常表示手段として構成し、点灯させる構成を採用する場合でも、遠隔試験器を試験端子付中継器から取外し、火災受信機と感知器回線が接続される状態に戻った場合に、感知器回線に電流が多く流れるために、発報電流であると火災受信機が誤って判断することがない。
【００２１】
【発明の実施の形態】
以下に、本発明の実施の形態について図を用いて説明する。
図１は、本発明による遠隔試験機能を有した火災報知システムの一構成例を示した図である。
この火災報知システムは、多重伝送線である感知器回線Ｌに複数の火災感知器Ｓを接続しており、この感知器回線Ｌは、切換接点３を有した試験端子付中継器Ｔを介して火災受信機Ｒに接続されている。
【００２２】
試験端子付中継器Ｔは、遠隔試験器ＲＣを接続すれば、切換接点３は、感知器回線Ｌと火災受信機Ｒとの接続を遮断し、感知器回線Ｌに遠隔試験器ＲＣが接続されるが、遠隔試験器ＲＣを外せば、感知器回線Ｌは火災受信機Ｒに接続され、火災受信機Ｒによる通常の監視制御がなされるようになっている。
各火災感知器Ｓには、互いに異なるアドレスが内蔵のディップスイッチ等により予め設定されており、火災感知器Ｓ及び火災受信機Ｒは、これらのアドレスを付した多重伝送信号を送受している。
【００２３】
ＬＤは各感知器Ｓに設けられた発報の有無を判別表示する発報表示手段であり、ＬＥＤなどによって構成される。なお、発報した火災感知器を特定する必要がない場合には、アドレスの付されていない火災感知器Ｓを接続した複数の監視回線を火災受信機Ｒから導出させ、その監視回線毎に、火災感知器の発報を監視する構成とすることができる。例えば、各監視回線の電圧変化により発報を検知する構成とすれば、火災感知器Ｓ及び火災受信機Ｒの回路構成を簡単にすることができる。
【００２４】
遠隔試験器ＲＣは、アドレスを指定し火災感知器Ｓに問い合わせを行って、火災感知器Ｓより発報データを取り込むための感知器データ取込回路１と、取り込んだ発報データを表示するための発報データ表示手段２とを備えている。なお、遠隔試験器ＲＣには、図示はしていないが、火災受信機Ｒの試験を行うための回路も備えている。
【００２５】
本発明では、感知器データ取込手段１を構成する感知器データ取込回路は、各火災感知器Ｓに対して多重伝送による問い合わせを行って、各火災感知器Ｓの記憶手段（後述する）に記憶された発報データを取り込み、発報データ表示手段２では取り込んだ発報データを表示する。
ここに、発報データ表示手段２は、簡易な構成では複数の発光ダイオードを備えて構成され、この場合、各発光ダイオードは、それぞれ火災感知器Ｓのアドレスに対応して設けられる。しかし、発報データ表示手段２をＬＣＤなどで構成して、火災感知器Ｓから取り込んだ発報データ（発報した日時）を文字情報として表示できるようにしてもよい。
【００２６】
一方の各火災感知器Ｓは、図２にブロック図で示すように、ＣＰＵなどで構成された制御回路１０と、感知器回線Ｌを介して、火災受信機Ｒあるいは遠隔試験器ＲＣから供給される電源を制御する電源回路１１と、火災受信機Ｒあるいは遠隔試験器ＲＣとの間で多重伝送を行うための送受信回路１２と、煙や熱の発生によって火災を検知する火災検知回路１３と、発報データを記憶する記憶手段である発報履歴メモリ１４と、発報の有無を判別表示するＬＤの点灯制御を行うためのＬＥＤ点灯回路１５などを備えている。
【００２７】
火災感知器Ｓでは、遠隔試験器ＲＣを試験端子付中継器Ｔに接続する前、つまり、通常の火災監視状態で発報したときは、発報データ（発報した日時など）を発報履歴メモリ１４に記憶しており、遠隔試験器ＲＣから問い合わせを受けると、発報履歴メモリ１４に記憶した発報データを返信する。遠隔試験器ＲＣによる問い合わせに対して、発報した事実がないときには、未発報の発報データが返信されるが、発報履歴メモリ１４には、発報、復旧の状態を順次、時間などとともに蓄積できるようにし、遠隔試験器ＲＣに返信できるようにすることもできる。
【００２８】
なお、発報履歴メモリ１４は、ＥＥＰＲＯＭなどの不揮発性メモリで構成されているので、電源回路１１からの電源供給が停止したとしても、記憶された発報状態の内容が消えたり、変化することがない（請求項２）。
図３は、本発明の火災報知システムの試験時の状態を示している。
集合住宅用の火災監視システムを構成しており、玄関口などに試験端子付中継器Ｔが設けられ、住戸内には複数の火災感知器Ｓが設けられている。これらの火災感知器Ｓには、それぞれ１，２，３，...，ｎのアドレスが割り当てられており、遠隔試験器ＲＣには、アドレス「１」〜「１０」に対応した１０個の発光ダイオード２ａと、点検スイッチＳＷ１と、終了スイッチＳＷ２とが設けられている。なお、この例では、発光ダイオード２ａによって発報データ表示手段２を構成している。
【００２９】
試験端子付中継器Ｔの蓋を開け、遠隔試験器ＲＣのコネクタ付ケーブルＣＮを接続して、点検スイッチＳＷ１を押下すれば、遠隔試験器ＲＣから各火災感知器Ｓへ問い合わせが順になされ、各火災感知器Ｓから発報データが返信されると、その状態が発光ダイオード２ａに点灯表示される。
すなわち、この図では、発光ダイオード２ａの「１」，「２」，「６」の点灯により、アドレス１，２，６に対応した火災感知器Ｓが過去に発報していることを表示し、他の発光ダイオード２ａのランプは消灯しているので、そのアドレスに対応した火災感知器Ｓは発報していないか、あるいは、感知器回線Ｌに接続されていないことを示している。
【００３０】
火災感知器Ｓは、自らも発報の有無を判別表示するため表示灯ＬＤを備えているので、この表示灯ＬＤの点灯によっても、発報の有無も直接分かる（請求項３）。
このようにして、試験者は、戸外の試験端子付中継器Ｔに遠隔試験器ＲＣをコネクタ接続すれば、室内の火災感知器Ｓが発報した事実があるかどうかを容易に確認できるので、住戸内に入り、表示灯ＬＤの点灯している火災感知器Ｓを発見して、点検、修理を行うことができる。
【００３１】
また、遠隔試験器ＲＣでは、終了スイッチＳＷ２を押下すれば、遠隔試験器ＲＣの発光ダイオード２ａがすべて消灯するとともに、すべての火災感知器Ｓの表示灯ＬＤも消灯する。
更に、遠隔試験器ＲＣのコネクタ付ケーブルＣＮを試験端子付中継器Ｔから引き抜いて取り外し、或は、遠隔試験器ＲＣの電源を切ることによって、発光ダイオード２ａ、表示灯ＬＤを消灯させる構成とすることもできる。これにより、終了スイッチＳＷ２を操作するのを忘れて、遠隔試験器ＲＣの発光ダイオード２ａ、表示灯ＬＤが点灯し続けることがなくなる。
【００３２】
なお、この例では発光ダイオード２ａや表示灯ＬＤを点灯させているが、点滅させる構成であってもよく、更に前述したように、ＬＣＤなどの表示部を設けて、火災感知器Ｓの記憶手段に記憶された発報データ（発報した日時）を文字情報に変換して表示できるようにしてもよい。
次に請求項５〜７において提案されたシステムについて説明する。
このシステムでは、遠隔試験器によって火災感知器の動作試験を行ったときに、不動作の火災感知器が外部より容易に判別できるようになっている。
【００３３】
図４は、このシステムの基本構成をブロック図で示している。
図１とは遠隔試験器ＲＣの構成が異なっており、遠隔試験器ＲＣは、試験端子付中継器Ｔに接続されたときに、任意の火災感知器Ｓに、アドレスを指定して発報指令信号、表示指令信号を出力する感知器点検回路４と、発報指令信号を送出した火災感知器Ｓからの返信信号に応じて試験結果を表示する試験結果表示手段５とを備えている。
【００３４】
複数の火災感知器Ｓのそれぞれには、遠隔試験器から発報指令信号を受けたときには火災検知回路１３を強制的に作動して発報させる機能を備えるとともに、発報指令信号を受けて発報しなかった場合に、遠隔試験器ＲＣから表示指令信号を受けたときに作動する異常表示手段ＬＤ'を備えている。
ここに、図４に示した例では、異常表示手段ＬＤ'は、ＬＥＤで構成されているが、このＬＥＤは前述したように動作確認灯を兼ねてもよい。
【００３５】
次いで、遠隔試験器ＲＣによる火災感知器Ｓの動作試験について更に具体的に説明すると、遠隔試験器ＲＣは、試験端子付中継器Ｔに接続したときに、感知器点検回路４から各火災感知器Ｓに発報指令信号を送出し、火災感知器Ｓから発報信号が返信されれば、正常と判断し、不動作、故障など異常信号を受信すれば異常と判断する。そして、この判断結果に基づいて、その試験結果を試験結果表示手段５に表示する。ここに、試験結果表示手段は、図３に示したように火災感知器に対応したＬＥＤを設けて、動作試験を行った火災感知器Ｓが発報した場合には点灯し、発報しなかった場合には消灯するようなものであってもよい。点検者は、この試験結果表示手段５を見ることによってによって、発報しなかった火災感知器Ｓ、つまり動作異常の火災感知器Ｓが判別できるので、その動作異常の火災感知器Ｓに表示指令信号を送出して、火災感知器Ｓに設けた異常表示灯ＬＤ'を点灯させることが出来る。
【００３６】
なお、この表示灯ＬＤ'は、正常状態、異常状態、あるいは未接続に対応させて、様々な点灯態様とすることができるが、点検者は、この異常表示灯ＬＤ'の点灯を見ることによって、動作異常の火災感知器Ｓが容易に発見できる。火災感知器Ｓに設けた異常表示手段は、遠隔試験器から表示指令信号を受けた後も、所定時間の間に限って点灯あるいは点滅を保持する構成にすれば、点検者は試験後も動作異常の火災感知器を容易に判別することができる（請求項５）。
【００３７】
また、この異常表示手段による異常表示は、遠隔試験器から表示指令解除信号を送出することによって解除できるようにすれば、点検の終了した火災感知器の異常表示灯は順次消灯させることが出来るので、交換、修理作業が容易になる（請求項６）。
更に、動作異常を示した火災感知器が複数台存在する場合には、遠隔試験器から表示指令信号を受けた火災感知器を異なるタイミングで点滅制御させる構成にしてもよい（請求項７）。
【００３８】
図５は、このようなシスムテムにおいて使用される火災感知器Ｓの内部構成を示している、図２と対応した部分には同一の符号を付して説明すると、図２とは、異常表示手段を構成するＬＥＤを点滅駆動するＬＥＤ点灯回路１５の駆動タイミングを規定するためのクロック回路１６を備えている点が異なる。このクロック回路１６は、遠隔試験器ＲＣより表示指令信号を受けたときに、異常表示灯を構成するＬＤ'を周期的に点灯駆動させるもので、予め設定された周期で制御回路１０にクロック信号を送出して、ＬＥＤ点灯回路１５を駆動している。このようなクロック回路１６を各火災感知器Ｓに設け、十分なクロック周期をとっておけば、遠隔試験器ＲＣより表示指令信号を受けたそれぞれの火災感知器Ｓでは、ＬＥＤの点灯開始時点が異なることによって異なるタイミングで点灯駆動されるので、相互に重なることがなく、判別が容易となる。
【００３９】
図６は、このときの動作をタイムチャートをもって示している。ここでは、（ａ）〜（ｃ）の３つの火災感知器Ｓが、周期ｔによって、定期的に表示灯ＬＤの点灯を繰り返しているが、点灯周期の開始時間を、（ｂ）は（ａ）に対して時間ｔ１だけ遅れ、（ｃ）は（ｂ）に対して更に時間ｔ２だけ遅れているので、各火災感知器Ｓの点灯が重なることがないことが分かる。
【００４０】
したがって、このような構成によれば、火災発報時に点灯する動作確認灯を異常表示手段として用いて点滅駆動させる場合でも、遠隔試験の終了後、遠隔試験器ＲＣを試験端子付中継器Ｔから取外し、火災受信機Ｒと感知器回線Ｌを接続する通常の監視状態に戻ったときでも、火災受信機Ｒが、火災感知器Ｓの発報電流と誤って判断することがない。
【００４１】
【発明の効果】
以上の説明からも理解できるように、本発明の遠隔試験機能を有した火災報知システムによれば、以下の効果を奏する。
請求項１によれば、各火災感知器に通常の監視時における発報状態を記憶するようにしているので、遠隔試験器を試験端子付中継器に接続して、火災感知器を指定して発報データを取り込めば、遠隔試験器の発報データ表示部では取り込んだ発報データを表示することによって発報履歴を知ることができる。
したがって、この発報履歴を参照することによって、火災感知器の点検、修理が容易になる。
【００４２】
請求項２によれば、火災感知器の発報状態を記憶する手段は、不揮発性メモリで構成されているので、感知器回線からの供給電源が遮断された場合にも、このメモリに記憶した内容が消えることがなく、火災感知器の発報履歴が紛失することがない。
請求項３によれば、火災感知器に発報の有無を判別表示出来るので、発報した火災感知器はすぐに分かる。そのため、配置図などを見ながら、火災感知器の設置場所を確認し、交換、修理する必要がなくなる。
【００４３】
請求項４によれば、火災感知器の表示は、発報状態を様々な態様で点灯することが出来るので、識別がしやすい。
【００４４】
請求項５によれば、遠隔試験器による動作試験を行ったとき、動作異常であった火災感知器に対して、動作試験の終了後に表示指令信号を送出することによって、異常表示手段が異常を報知するので容易に判別できる。また、遠隔試験器から表示指令信号を送出すれば、火災感知器では、所定時間だけ異常表示灯を点滅保持するので、遠隔試験器を試験端子付中継器から取外した後でも、動作異常の火災感知器が容易に判別出来る。
請求項６によれば、火災感知器の異常表示手段は、遠隔試験器から表示指令信号を送出して表示を行った後、表示解除信号を送出することによって表示を解除することができるので、点検の終了した火災感知器の異常表示を順次解除して行けば、火災感知器の取替、修理作業が容易に出来る。
【００４５】
請求項７によれば、遠隔試験器から送出されて来る制御信号によって、火災感知器の試験結果の表示タイミングをずらすことができるので、異常表示手段を作動している火災感知器が複数あった場合にも、容易に識別でき、また異常表示手段として火災発報時に点灯する動作確認灯などを使用しても、火災受信機が火災発報電流と間違えて誤動作するようなこともない。
【図面の簡単な説明】
【図１】本発明の遠隔試験機能を有した火災報知システムの構成の一例を示した図である。
【図２】火災感知器の構成の一例を示したブロック図である（請求項１）。
【図３】遠隔試験の要領を示す図である。
【図４】火災感知器の構成の一例を示したブロック図である（請求項５）。
【図５】火災感知器の別例を示したブロック図である（請求項８）。
【図６】図５に示した火災感知器の基本動作を示したタイムチャートである。
【図７】従来の遠隔試験機能を有した火災報知システムを説明するための概略図である。
【図８】従来の遠隔試験器を説明するための外観図である。
【符号の説明】
Ｓ・・・火災感知器
ＬＤ・・・発報表示手段（表示灯）
ＬＤ’・・・異常表示手段
１０・・・制御回路
１１・・・電源回路
１２・・・送受信回路
１３・・・火災検知回路
１４・・・記憶手段（発報履歴メモリ）
１５・・・ＬＥＤ点灯回路
１６・・・クロック回路
ＲＣ・・・遠隔試験器
１・・・感知器データ取込手段
２・・・発報データ表示手段
３・・・切換接点
４・・・感知器点検回路
５・・・試験結果表示回路
Ｔ・・・試験端子付中継器
Ｒ・・・火災受信機
Ｌ・・・感知器回線
【図１】
0003724076.tif 000002
【図２】
0003724076.tif 000003
【図３】
0003724076.tif 000004
【図４】
0003724076.tif 000005
【図５】
0003724076.tif 000006
【図６】
0003724076.tif 000007
【図７】
0003724076.tif 000008
【図８】
0003724076.tif 000009